(57)【特許請求の範囲】
【請求項１】
上面が開放された直方体形状を有し、その内部容量を可変とする容量可変箱であって、
三枚の同一大きさの正方形シート部材よりなり、各々の面が互いに直交すると共に、各々の２辺同士が互いに接続する形状を有する４個の第１コーナー片と、
前記正方形シート部材と同一形状の２枚のシート部材よりなり、各々の面が直交すると共に、各々の一辺同士が互いに接続する形状を有する少なくとも２個の第２コーナー片と、
前記第１コーナー片の各々同士により、又は、前記第２コーナー片の各々を加えて、前記直方体形状となした際に隣接する前記第１コーナー片及び第２コーナー片の各々を互いに連結するための複数の連結材とを備えた、組み立て式容量可変箱。
【請求項２】
前記正方形シート部材と同一形状のシート部材よりなる少なくとも１個のフラット片と、
前記第１コーナー片及び前記第２コーナー片に前記フラット片を加えて、前記直方体形状となした際に隣接する前記第１コーナー片、前記第２コーナー片及び前記フラット片の各々を互いに連結するための複数の前記連結材とをさらに備えた、請求項１記載の組み立て式容量可変箱。
【請求項３】
前記連結材は、前記正方形シート部材の大きさ以下の第２の正方形シート部材と、前記第２の正方形シート部材の対角線上であって、前記正方形シート部材の一辺の長さをＭとするとＭ／２の長さを一辺とする正方形の頂点位置に形成された４個の突起部とからなり、
前記第１コーナー片を構成する正方形シート部材の１枚には、その対角線上であって、Ｍ／２の長さを一辺とする正方形の頂点位置のうち、他の２枚の正方形シート部材から一番遠い位置に、前記突起部の１個に勘合しうる１個の連結穴が形成されており、他の２枚の正方形シート部材には、その対角線上であって、Ｍ／２の長さを一辺とする正方形の頂点位置のうち、互いに他の正方形シート部材から離れた位置に、前記突起部の隣接する２個の嵌合し得る２個の連結穴が形成されており、
前記第２コーナー片を構成するシート部材の各々には、その対角線上であって、Ｍ／２の長さを一辺とする正方形の頂点位置に、前記突起部の各々に嵌合し得る４個の連結穴が形成されており、
前記フラット片を構成するシート部材には、その対角線上であって、Ｍ／２の長さを一辺とする正方形の頂点位置のうち、前記突起部の各々に嵌合し得る４個の連結穴が形成されている、請求項２に記載の組み立て式容量可変箱。
【発明の詳細な説明】
【０００１】
【発明の属する技術分野】
本発明は、日用品等を収納する容器に関し、特にその内部容量を変更可能とするものである。
【０００２】
【従来の技術】
従来より、日用品を収納する容器は、かごやバスケットなど、様々なサイズ・形状のものが提供されているが、これらの安価に提供されているものはいずれも形状、容量ともに一定の容量固定型容器が殆どである。
【０００３】
一方、容量可変タイプの容器として、図１９に示す通い箱１が特開平１０−１４７３３６で提案されている。この通い箱１は、上方開口で、長手方向一端部が側方に開口する２個の端部箱体２、３と、上方開口で長手方向両端部が側方に開口する中間部箱体４とからなり、この中間部箱体４を端部箱体２、３の内側に長手方向に摺動自在に嵌合して、通い箱１の長さおよび内部容量を可変としている。この中間部箱体４の側板４ａには穴５ａ、５ｂ、５ｃ、５ｄを穿設し、端部箱体２、３の側板２ａ、３ａにも穴６、７を穿設し、端部箱体２、３と中間部箱体４とを互いに摺動させて、穴６、７が穴５ａ〜５ｄのいずれかと重合した位置で、該穴に連結具８を嵌合することにより、通い箱１の長さを所要長さに調節したうえで移動不可に固定している。
【０００４】
【発明が解決しようとする課題】
日本の住宅事情においては、限られたスペースをいかに有効利用して多くのものを出し入れしやすく収納するかということが大きな関心問題であると共に難題となっている。特に最近では、日用品が雑多に収納されがちな流し台の下、机の上や引出しの中、棚などにおける整理収納において、上方開口の容器を利用することにより、小分け整理できると共に、棚等の奥に収納したものでも引き出し式に出し入れできるなど、従来デッドスペースとされていた空間を出し入れ容易な収納スペースに変える様々な収納術が提案されている。
【０００５】
しかしながら、容器の中に収納するものや、容器を置く場所、スペース等の事情は各家庭で異なるため、既製品の容器を利用しても、各家庭の必要性に適合しないために十分に整理できなかったり引出しや棚の奥行きや幅を無駄なく最大に利用できない場合が多い。
【０００６】
また、上記通い箱１は、長さを段階的に調節して内部容量も可変とすることができるが、奥行きと幅の双方の調節が可能でなく、必ずしも利用者の希望に適応することができない。さらに、構造が複雑で製造コストがかかるため、日用品の整理箱として提供するには高価格となる問題がある。特に、いったん容器のサイズを調節・固定して日用品を収納すると、その容器のサイズを再変更して異なる場所で使用することはあまり現実的でなく、コストパフォーマンスの点から、サイズ変更が可能であってもサイズ固定型容器との価格差の少ない低コストな容器が求められていた。
【０００７】
本発明は上記問題に鑑みてなされたものであり、利用者の必要に応じて内部容量や形状を多様に変更できる、安価な容量可変型容器の提供を課題としている。
【０００８】
【課題を解決するための手段】
上記課題を解決するために、本発明は、上面が開放された直方体形状を有し、その内部容量を可変とする容量可変箱であって、
三枚の同一大きさの正方形シート部材よりなり、各々の面が互いに直交すると共に、各々の２辺同士が互いに接続する形状を有する４個の第１コーナー片と、前記正方形シート部材と同一形状の２枚のシート部材よりなり、各々の面が直交すると共に、各々の一辺同士が互いに接続する形状を有する少なくとも２個の第２コーナー片と、
前記第１コーナー片の各々同士により、又は、前記第２コーナー片の各々を加えて、前記直方体形状となした際に隣接する前記第１コーナー片及び第２コーナー片の各々を互いに連結するための複数の連結材とを備えた、容量可変箱を提案している。
【０００９】
上記構成とすることにより、容器の使用者が所要個数の各コーナー片を上記連結材を用いて接続していくことにより、必要に応じた形状、サイズの容器を容易に作成することができる。特に、第２コーナー片の個数を増減することにより、容器の形状、内部容量を容易に変更することができる。
【００１０】
即ち、上記第１コーナー片は直方体の容器の底部四隅を構成し、第２コーナー片は該四隅以外の各辺を形成するために用いることができ、該容器の使用者が、第１コーナー片と第１コーナー片の間に所要個数の第２コーナー片を介在させて連結材で各コーナー片を連結することにより、第２コーナー片を介在させた辺を一方向に長さ調節することができ、よって内部容量を変更することができる。
【００１１】
また、各コーナー片の各面を構成する正方形シート部材のサイズを小さくすることにより、容器のサイズ変更も細かく行うことができるなど、使用者の多様な希望に合った容器の提供も可能となる。
【００１２】
なお、上記連結材は、隣接する各コーナー片の境界辺を跨って連結するものであり、コーナー片に被連結部を、連結材に連結部を形成し、被連結部と連結部とを互いに嵌合あるいは係止させることにより、相隣接するコーナー片を接続する。特に、連結部と被連結部を凹部と凸部とで構成し、互いに嵌合させる構造とすることにより、連結材によって上下左右ともに移動不可に接続することが好ましい。
【００１３】
また、本発明は、前記正方形シート部材と同一形状のシート部材よりなる少なくとも１個のフラット片と、
前記第１コーナー片及び前記第２コーナー片に前記フラット片を加えて、前記直方体形状となした際に隣接する前記第１コーナー片、前記第２コーナー片及び前記フラット片の各々を互いに連結するための複数の前記連結材とをさらに備えた容量可変箱も提案している。
【００１４】
この場合、容器を一方向のみでなく、幅、奥行き、高さの３方向にサイズ変更可能となる。即ち、底部四隅を形成する第１コーナー片と、容器の各辺を形成する所要個数の第２コーナー片を互いに連結していくことにより、まず容器の幅、奥行き、高さを所要サイズに骨組み形成し、該骨組みの間を埋めるように上記フラット片を連結させることにより面を形成して、様々な形状の容器を作成することができる。
【００１５】
前記連結材は、前記正方形シート部材の大きさ以下の第２の正方形シート部材と、前記第２の正方形シート部材の対角線上であって、前記正方形シート部材の一辺の長さをＭとするとＭ／２の長さを一辺とする正方形の頂点位置に形成された４個の突起部とからなり、
前記第１コーナー片を構成する正方形シート部材の１枚には、その対角線上であって、Ｍ／２の長さを一辺とする正方形の頂点位置のうち、他の２枚の正方形シート部材から一番遠い位置に、前記突起部の１個に勘合しうる１個の連結穴が形成されており、他の２枚の正方形シート部材には、その対角線上であって、Ｍ／２の長さを一辺とする正方形の頂点位置のうち、互いに他の正方形シート部材から離れた位置に、前記突起部の隣接する２個の嵌合し得る２個の連結穴が形成されており、
前記第２コーナー片を構成するシート部材の各々には、その対角線上であって、Ｍ／２の長さを一辺とする正方形の頂点位置に、前記突起部の各々に嵌合し得る４個の連結穴が形成されており、
前記フラット片を構成するシート部材には、その対角線上であって、Ｍ／２の長さを一辺とする正方形の頂点位置のうち、前記突起部の各々に嵌合し得る４個の連結穴が形成されていることが好ましい。
【００１６】
上記のように一つの連結材に４つの突起部を設け、連結される相隣接する第1コーナー片等の互いの接続辺を跨ってこの連結材を取り付けることにより、該コーナー辺等の接続辺を離反させようとする動きのみでなく、互いの接続辺にそって上下にズレようとする動きをも阻止することができるため、連結箇所で上下方向にも左右方向にもズレたり離反することなく、安定的に結合させることができる。
また、上記突起部を長さＭの１／２の長さを一辺とする正方形の頂点位置に配置することにより、長さＭを一辺とする同一大きさの正方形シート部材で各面を構成している上記第１コーナー片、第２コーナー片およびフラット片のいずれをも互いに連結させることができ、１種類の連結材をいずれの部材の連結にも共用することができる。詳しくは、上記連結材の突起部と、各コーナー片およびフラット片に形成される連結穴を、いずれも正方形シート部材の一辺の長さＭの１／２の長さを一辺とする正方形の頂点位置に形成しているため、隣り合う、２つのコーナー片、コーナー片及びフラット片、又は２つのフラット片の２面を連結する場合にも、相隣接する、４つのコーナー片、コーナー片およびフラット片から選択された４つの片、又は４つのフラット片の４面を連結する場合にも、上記連結材を一つだけ用いて連結することができ、あらゆる箇所の連結が一種類の連結材で可能となる。従って、連結材の共用化により部品型数を減少させ、製造コストを削減できると共に、購入者にとっても組立作業が単純かつ容易となり好具合である。
【００１７】
【発明の実施の形態】
以下、発明の実施形態を図面を参照して説明する。
図１から図１３は本発明の第1実施形態に係る上方開口の容器１０と容量拡大後の容器１００、１０１を示しており、これらは、第1コーナー片１１（１１ａ〜１１ｄ）、第２コーナー片２１（２１ａ〜２１ｈ）、フラット片３１（３１ａ〜３１ｅ）および連結材４１（４１ａ〜４１ｌ）を、水平連結方向および／または垂直連結方向に組み立てて構成している。
なお、これらの各部材はいずれも、可撓性と剛性を併せ持つ、例えば合成樹脂で一体成形することが好ましい。
【００１８】
上記第１コーナー片１１は、図２に示すように（図示は第1コーナー片１１aの例）、一辺の長さをＭとする３枚の正方形シート部材よりなり、１枚を底面板１２ａ、２枚を側板１３ａ、１４ａとして互いの面を直交させると共に、各板１２ａ、１３ａ、１４ａの一辺同士が互いに接続する形状に一体成形している。
上記底面板１２には１つの連結穴５１ａを穿設しており、該連結穴５１の位置は、図３に示すように、底面板１２ａの対角線上であってＭ／２の長さを一辺とする正方形の頂点位置のうち、２枚の側板１３ａ、１４ａから一番遠い頂点位置としている。また、各側板１３ａ、１４ａには、図４（図示は側板１３ａの例）に示すように、それぞれ２つ、計４つの連結穴５２ａ、５３ａ、５４ａ、５５ａを穿設しており、これら連結穴の位置は、側板１３ａ、１４ａそれぞれの対角線上であって、Ｍ／２の長さを一辺とする正方形の頂点位置のうち、互いに他の側板から遠い頂点位置に２つずつ設けている。
上記第２コーナー片２１は、図５に示すように（図示は第２コーナー片２１ａの例）、一辺の長さをＭとする２枚の正方形シート部材よりなる平板２２ａ、２３ａを、互いに直交させると共に、各々の一辺同士が互いに接続する形状に一体形成している。
【００１９】
上記平板２２ａ、２３ａには、それぞれの四隅近傍に１つずつ計８つの連結穴６１ａ〜６８ａを穿設しており、詳しくは、各平板２２ａ、２３ａの対角線上であって、Ｍ／２の長さを一辺とする正方形の頂点位置に形成している。
上記フラット片３１は、図６に示すように（図示はフラット片３１ａの例）、一辺の長さをＭとする正方形シート部材よりなる平板３２ａよりなり、該平板３２ａにも、対角線上であって、Ｍ／２の長さを一辺とする正方形の頂点位置に計４つの連結穴７１ａ〜７４ａを穿設している。
【００２０】
上記連結材４１は、図７（Ａ）（Ｂ）に示すように（図示は連結材４１ａの例）、１辺の長さＮをＭ以下とする第２の正方形シート部材よりなる基板部４２ａと、該基板部４２ａの表面に突設した４個の突起部４３ａ〜４６ａよりなる。該突起部４３ａ〜４６ａは、基板部４２ａの対角線上であって、一辺をＭ／２の長さとする正方形の各頂点位置に突設している。なお、この突起部４３〜４６は、上記連結穴５１〜５５、６１〜６８、７１〜７４（以下「５１等」と略す）のそれぞれに嵌合した際に該連結穴５１等の周縁に係止する大径部Ｌと、連結穴５１等内に収容される小径部Ｓよりなり、大径部Ｌの直径は、上記連結穴５１等の内径より大寸であると共に上記連結穴５１等に無理どおりできる寸法とし、小径部Ｓの直径は、連結穴５１等の内径より小寸であると共に、挿通時に小径部Ｓの外周面と連結穴５１等の内周面の間にできるクリアランスを可能な限り小寸とする寸法とする。
【００２１】
次に、４つの上記第１コーナー片１１ａ〜１１ｄと５つの連結材４１ａ〜４１ｅとで小容量容器１０を組み立てる作業を説明する。まず、図１（Ａ）にも示すように、４つの第１コーナー片１１ａ〜１１ｄを、それぞれの底面板１２ａ〜１２ｄの２辺同士が互いに接続すると共に、それぞれの側板１３ａ〜１３ｄ、１４ａ〜１４ｄの一辺同士が互いに接続するように配置して、容器底面部Ａと容器側面部Ｂを仮形成する。次に、図８にも示すように、容器底面部Ａの外面に上記連結材４１ａの突起部４３ａ〜４６ａを対向させて、４枚の底面板１２ａ〜１２ｄそれぞれの連結穴５１ａ〜５１ｄに各突起部４３ａ〜４６ａを嵌合し、即ち、４枚の底面板１２ａ〜１２ｄに跨って連結材４１ａを外方から一つ取り付けることによって、容器底面部Ａを連結形成する。次いで、各容器側面部Ｂについては、まず、図９に示すように、相隣接する第１コーナー片１１ａ、１１ｂを、一方の側板１４ａと他方の側板１３ｂとの接続箇所を跨いで計４つの連結穴５４ａ、５５ａ、５２ｂ、５３ｂに外面側から連結材４１ｂの突起部４３ｂ〜４６ｂを嵌合し、他の相隣接する第１コーナー片１１ｂと１１ｃ、１１ｃと１１ｄ、１１ｄと１１ａの接合箇所についても同様に、連結材４１ｃ〜４１ｅを用いて互いに連結形成する。なお、連結材４１は外面側からでなく内面側から嵌合してもよい。また、まず隣接する側板同士を連結して容器側面部Ｂを連結形成した後に、容器底面部Ａを連結形成してもよい。
【００２２】
上記構成とすることにより、相隣接する第1コーナー片同士１１ａ〜１１ｄは、4箇所に連結突起部４３〜４６を有する１つの連結材４１によりそれぞれ結合されているため、各結合箇所は上下にも左右にもズレたり離反することなく、むしろ連結材４１の基板部４２によって補強されて安定的に結合することができる。
【００２３】
次に、図１０および図１１を用いて、上記構成の小容量容器１０に第２コーナー片２１のみを加えて容量の大きい中容量容器１００に組み立てかえる作業を説明する。まず、上記容器１０を４つの第１コーナー片１１ａ〜１１ｄと５つの連結材４１ａ〜４１ｅに分解する。そこへ、２つの第２コーナー片２１ａ、２１ｂと３つの連結材４１ｆ、４１ｇ、４１ｈを追加する。
【００２４】
次に、上記第２コーナー片２１ａを、第１コーナー片１１ｂと１１ｃの間に、他方の第２コーナー片２１ｂを、第１コーナー片１１ａと１１ｄの間に配置し、平板２３を隣接する第１コーナー片の側板１３あるいは１３と連続させると共に、平板２２を底面板１２と連続させて、容器底面部Ａと容器側面部Ｂとを仮形成する。
【００２５】
次いで、容器底面部Ａには4枚の正方形シート部材が2辺同士で接続している連結箇所が２箇所あり、該連結箇所にそれぞれ連結材４１ａ、４１ｂを一つずつ用いて、隣接する4枚の正方形シート部材に連結材を１つずつ嵌め込んで結合していく。即ち、隣接する底面板１２ａ、底面板１２ｂ、平板２２ａ、平板２２ｂの互いに近接する４つの連結穴５１ａ、５１ｂ、６４ａ、６３ｂに連結材４１ａをはめ込み、同様に、隣接する平板２２ｂ、２２ａ、底面板１２ｃ、底面板１２ｄを連結材４１ｂで互いに結合して容器底面部Ａを連結形成する。また、容器側面部Ｂには隣接する２枚の正方形シート部材が１辺同士で接続している連結箇所が計６箇所あり、各連結箇所に連結材４１ｃ〜４１ｈを一つずつ用いて連結していく。即ち、側板１４ａと側板１３ｂ、側板１４ｂと平板２３ａ、平板２３ａと側板１３ｃ、側板１４ｃと側板１３ｄ、側板１４ｄと平板２３ｂ、平板２３ｂと側板１３ａをそれぞれ連結し、すべてのコーナー片１１ａ〜１１ｄ、２１ａ、２１ｂを互いに連結させて容器１００を完成する。
【００２６】
上記のように、２つの第２コーナー片を追加することにより幅または奥行きのいずれか一方が長くなり、これにより本実施形態の場合は容器１００の内部容量は容器１０の１．５倍とすることができる。また、該容器を棚や引出しの中で用いるとき、その棚等の幅や奥行きなどを有効に活用することができる。一方、第２コーナー片を取り外すことにより幅または奥行きを短くすることもでき、それに伴い内部容量も減少し、小物整理や小分け整理に適したサイズに変更することができる。
【００２７】
尚、更に２の倍数の第２コーナー片及びこれに必要な連結材を追加して同様に連結すれば、幅又は奥行きが更に長い容器とすることができる。
【００２８】
次に、図１２および図１３を用いて上記構成の中容量容器１００を容量のさらに大きい大容量容器１０１に組み立てかえる作業を説明する。まず、上記容器１００を各部材に分解し、そこへ新たな部材を加えて、計４つの第１コーナー片１１ａ〜１１ｄ、８つの第２コーナー片２１ａ〜２１ｈ、５つのフラット片３１ａ〜３１ｅ、および１２個の連結材４１ａ〜４１ｌを用意する。
【００２９】
次に、容器底面部Ａを形成する。まず、上記４つの第１コーナー片１１ａ〜ｄを容器底面部Ａの四隅に当たる位置に離間して配置し、各第１コーナー片１１ａ〜１１ｄの間に第２コーナー片２１ａ〜２１ｄを一つずつ介在させ、隣接する第１コーナー片１１の底面板１２と第２コーナー片の平板２２の一辺同士を、隣接する第１コーナー片１１の側板１３または１４と第２コーナー片の平板２３の一辺同士を接続させる。次いで、４枚の平板２２ａ〜２２ｄで四方を囲われた容器底面部Ａの中央部に、フラット片３１ａの平板３２ａを一つ嵌め込み、４枚の底面板１２ａ〜１２ｄ、４枚の平板２２ａ〜２２ｄおよび１枚の平板３２ａとで容器底面部Ａを仮形成する。最後に、該容器底面部Ａを形成する上記９枚の正方形シート部材を、４つの連結材４１ａ〜４１ｄで４枚ずつ連結していく。即ち、容器底面部Ａには４枚の正方形シート部材が２辺同士で接続している箇所が４箇所あり、各箇所に連結材４１を一つずつ用いて連結させる。これにより、図１３に示すように、底面板１２ａ、平板２２ａ、３２ａ、２２ｄの互いに近接する４つの連結穴５１ａ、６４ａ、７１ａ、６３ｄに連結材４１ａの４つの突起部４３ａ〜４６ａを一つずつ嵌合させて結合し、同様に、隣接する平板２２ａ、底面板１２ｂ、平板２２ｂ、平板３２ａを連結材４１ｂで、隣接する平板３２ａ、平板２２ｂ、底面板１２ｃ、平板２２ｃを連結材４１ｃで、隣接する平板２２ｄ、平板３２ａ、平板２２ｃ、底面板１２ｄを連結材４１ｄで互いに結合して、容器底面部Ａを完成させる。
【００３０】
次いで、容器側面部Ｂを形成する。容器側面部Ｂの下段Ｂ１は、上記容器底面部Ａが形成された段階で既に仮形成されている。即ち、第１コーナー片１１a〜ｄの側板１３ａ〜ｄ、１４ａ〜ｄの間に第２コーナー片の平板２３ａ〜ｄが介在した下段Ｂ１が形成されている。次に、容器側面部Ｂの上段Ｂ２を、下段Ｂ１に積み上げながら形成する。まず、四隅の第１コーナー片１１ａ〜ｄの上に第２コーナー片２１ｅ〜ｈを横倒しして載置し、第１コーナー片１１の側板１３ａ〜ｄと第２コーナー片２１ｅ〜ｈの平板２２ｅ〜ｈを一辺同士を接続して垂直方向に連続させ、第１コーナー片１１の側板１４ａ〜ｄと第２コーナー片２１の平板２３ｅ〜ｈも一辺同士を接続して垂直方向に連続させる。次に、四隅の配置した第２コーナー片２１ｅ〜ｈの各間にフラット片３１ｂ〜ｅを介在させて水平方向に連続させ、垂直方向には下段Ｂ１の平板２３ａ〜ｄと上段Ｂ２の平板３２ｂ〜ｅを連続させる。最後に、各容器側面部Ｂを連結形成する。即ち、容器側面部Ｂの各面はそれぞれ６枚の正方形シート部材で形成されるが、そこには隣接する４枚の正方形シート部材が２辺同士で接続している箇所が２箇所あり、これら各箇所に連結材４１ｅ〜ｌを一つずつ用いて連結し、容器側面部Ｂを完成させる。この点は、上記容器底面部Ａの連結作業と同様である。
【００３１】
上記組み立てにより、容器１０１は容器１００に比して、底面積を１．５倍、高さを２倍にでき、容積を３倍に拡大することができる。また、連結材４１は、底面、側面の別なく全連結箇所に共用できるため、製造コストの削減を図ることができ、組み立て作業も単純かつ容易とすることができる。
【００３２】
尚、更に必要数の第２コーナー片、フラット片及び連結材を追加して同様に連結すれば、さらに大容量の容器とすることができる。
【００３３】
図１４（Ａ）（Ｂ）（Ｃ）は本発明の第2実施形態を示し、第1コーナー片１１０の底面板１２０、側板１３０、１４０にそれぞれ４箇所ずつ連結穴を設けることにより、図１４（Ｂ）（Ｃ）に示す２室容器１０２のように、複数の収納室をもつ容器に組み立てることもでき、各第1コーナー片１１、１１０、第２コーナー片２１、フラット片３１の組み合わせにより多種多様な容器を作成することができる。
【００３４】
さらに、図１５（Ａ）（Ｂ）（Ｃ）は本発明の第３実施形態を示し、上記連結材４１のみでなく、図１５（Ａ）に示す補助連結材８１や図１５（Ｂ）に示す折り曲げ自在のコーナー連結材８２を用いることにより、図１５（Ｃ）に示す２室容器１０３のように、各構成部材の連結をより確実にすることができる。上記補助連結材８１は、連結材４１の半割形状としており、隣接する２枚の正方形シート部材を連結する際に用いることができる。また、上記コーナー連結材８２は、上記連結材４１を突起部を内側に縦中心線で直角に折り曲げ自在とする形状としており、コーナー箇所で２辺を接続させて隣接する２部材を連結する際に用いる。
【００３５】
なお、本発明は上記実施形態に限定するものではなく、組み合わせ方により容器の容量や形状を多様に変更することができる。
【００３６】
また、連結材４１の形状も上記に限定するものではなく、たとえば、図１６（Ａ）に示す連結材４１０ように、連結突起部４３に代えて、Ｌ字型突起部４３０で係止する構造としてもよく、この場合は 第１コーナー片１１、第２コーナー片１２、フラット片１３の各連結穴５１等をプラス形状の連結穴５１０等とし、Ｌ字型突起部４３０を各連結穴５１０等に図１６(Ｂ)のように挿入係止する。なお、連結穴５１０等をプラス形状とすることにより、相連結する各コーナー片やフラット片の向きが縦、横に混在しても連結材４１０のＬ字型突起部４３０をその連結穴５１０等に係止させることができる。
【００３７】
上記の他、連結材４１の基板部４２の形状を、図１７に示す穴あき形状や、図１８に示すクロス形状などにしてもよい。
【００３８】
尚、上記の実施の形態では、コーナー片やフラット片の突合せ面となる端部は平面的に形成されているが、これらの端部を互いに係合できるような凹凸等にしておけば、これらを連結したときの係合状態が更に安定する。
【００３９】
【発明の効果】
上記の説明より明らかなように、容器を第１コーナー片、第２コーナー片、フラット片の各部材片に分割し、該部材片の各面を同一大きさの正方形シート部材で構成するとともに、連結材を用いて部材片を連結する構成とすることにより、奥行き、幅、高さを段階的に調節して容器を組み立てることができるうえ、該容器の使用者が部材片を増減することにより自由に所望の形状および内部容量に変更することができる。
また、連結材に４つの突起部を設け、該突起部を同一サイズの正方形の頂点位置に配置するとともに、各部材片にも連結材の突起部と嵌合する位置に凹部または穴を設けることにより、並列に配置された２つの部材片、あるいは平面上に隣接して配置された４枚の正方形シート部材を１つの連結材で連結することができ、連結材の型が統一され部品型数を減らすことができるため、低コストで商品提供できると共に、容器の組み立て作業を単純かつ容易とすることができる。
【図面の簡単な説明】
【図１】第１実施形態に係る小容量容器を示し、（Ａ）は全体斜視図であり、（Ｂ）は平面図である。
【図２】第１コーナー片の斜視図である。
【図３】図２に示す第１コーナー片の底面板の平面図である。
【図４】図２に示す第１コーナー片の側板の平面図である。
【図５】第２コーナー片を示す斜視図である。
【図６】フラット片を示す斜視図である。
【図７】連結材を示し、（Ａ）は全体斜視図であり、（Ｂ）は側面図である。
【図８】図１に示す小容量容器の底面部の分解斜視図である。
【図９】図１に示す小容量容器の側面部の部分分解斜視図である。
【図１０】第1実施形態に係る中容量容器の部分分解斜視図である。
【図１１】図１０に示す容器の底面図である。
【図１２】第１実施形態に係る大容量容器の部分分解斜視図である。
【図１３】図１２に示す容器の底面図である。
【図１４】第２実施形態を示し、（Ａ）は第１コーナー片を示す斜視図であり、（Ｂ）（Ｃ）は（Ａ）に示す第1コーナー片を用いた容器の形成手順を示す概略斜視図である。
【図１５】第３実施形態を示し、（Ａ）は補助連結材を示す斜視図であり、（Ｂ）はコーナー連結材を示す斜視図であり、（Ｃ）は補助連結材およびコーナー連結材を用いて形成した容器の一例を示す概略斜視図である。
【図１６】連結材の変形例を示す斜視図である。
【図１７】連結材の他の変形例を示す斜視図である。
【図１８】連結材の他の変形例を示す斜視図である。
【図１９】従来例を示す図である。
【符号の説明】
１０…小容量容器
１１、１１０…第１コーナー片
１２…底面板
２１…第２コーナー片
３１…フラット片
４１、４１０…連結材
４３〜４６、４３０…突起部
５１〜５５、６１〜６８、７１〜７４、５１０…連結穴
８１…補助連結材
８２…コーナー連結材
１００…中容量容器
１０１…大容量容器
１０２、１０３…２室容器
尚、各図中同一符号は同一又は相当部分を示す。
【図１】
0003692308.tif 000002
【図２】
0003692308.tif 000003
【図３】
0003692308.tif 000004
【図４】
0003692308.tif 000005
【図５】
0003692308.tif 000006
【図６】
0003692308.tif 000007
【図７】
0003692308.tif 000008
【図８】
0003692308.tif 000009
【図９】
0003692308.tif 000010
【図１０】
0003692308.tif 000011
【図１１】
0003692308.tif 000012
【図１２】
0003692308.tif 000013
【図１３】
0003692308.tif 000014
【図１４】
0003692308.tif 000015
【図１５】
0003692308.tif 000016
【図１６】
0003692308.tif 000017
【図１７】
0003692308.tif 000018
【図１８】
0003692308.tif 000019
【図１９】
0003692308.tif 000020